(57)【特許請求の範囲】
【請求項１】
主木材（１）と従木材（２）を、その端面同士を突き合わせた状態で連結する為に、両木材（１，２）内に収容された状態で締結手段（９１）によって固定される接合金具（３）であって、
第一接合部材（４）と、第二接合部材（５）と、両接合部材（４，５）内に収容される状態で両者（４，５）を結合するボルト（Ｂ）とを備え、
第一接合部材（４）は主木材（１）の端面に備わる長穴（１１）の奥側に嵌まり込む円柱形状をなし、その先端面にボルト（Ｂ）の軸部を捩じ込む雌ネジ部（４１）を備え、
第二接合部材（５）は、主木材（１）と従木材（２）の端面の何れか一方に備わる凹部（２２）に嵌まり込む支持板（５１）と、支持板（５１）から突出し且つ従木材（２）の端面に備わる係合溝（２１）に嵌まり込む接続板（５２）とからなり、該支持板（５１）に、前記長穴（１１）の入り口側に嵌まり込み且つボルト（Ｂ）の頭部を収容するカップ状の突起部（５３）を、接続板（５２）とは反対側に突設し、突起部（５３）の底部にボルト（Ｂ）の軸部を通す挿通孔（５４）を備えていることを特徴とする木材の接合金具。
【請求項２】
前記支持板（５１）に主木材（１）に係止する補助片（５７）を突設してあることを特徴とする請求項１記載の木材の接合金具。
【請求項３】
主木材（１）と従木材（２）をその端面同士を突き合わせた状態で連結する為の木材の連結構造であって、
主木材（１）の端面に備える長穴（１１）の奥側に、請求項１記載の接合金具（３）の第一接合部材（４）を嵌め込んだ状態で締結手段（９１）によって固定し、第一接合部材（４）にボルト（Ｂ）で結合した第二接合部材（５）の支持板（５１）に備わる突起部（５３）を長穴（１１）の入り口側に嵌め込むと共に、該支持板（５１）を、主木材（１）の端面若しくは従木材（２）の端面の何れか一方に備わる凹部（２２）に嵌め込み、第二接合部材（５）の接続板（５２）を従木材（２）の端面に備える係合溝（２１）に嵌め込んだ状態で締結手段（９１）によって固定してあることを特徴とする木材の連結構造。
【請求項４】
主木材（１）と従木材（２）をその端面同士を突き合わせた状態で連結する為の木材の連結構造であって、
主木材（１）の端面に備える長穴（１１）の奥側に、請求項２記載の接合金具（３）の第一接合部材（４）を嵌め込んだ状態で締結手段（９１）によって固定し、第一接合部材（４）にボルト（Ｂ）で結合した第二接合部材（５）の支持板（５１）に備わる突起部（５３）を長穴（１１）の入り口側に嵌め込むと共に、該支持板（５１）を、主木材（１）の端面若しくは従木材（２）の端面の何れか一方に備わる凹部（２２）に嵌め込み、さらに、支持板（５１）に備わる補助片（５７）を主木材（１）に係止し、第二接合部材（５）の接続板（５２）を従木材（２）の端面に備える係合溝（２１）に嵌め込んだ状態で締結手段（９１）によって固定してあることを特徴とする木材の連結構造。
【発明の詳細な説明】
【０００１】
【発明の属する技術分野】
本発明は、例えば、通し柱や梁、桁、もや、或いは土台等に代表される木材の長尺物を得るために、複数の短い木材を、その端面同士を突き合わせた状態で連結する際に使用する木材の接合金具とそれを利用する連結構造に関するものである。
【０００２】
【発明が解決しようとする課題】
木材の長尺物としては、連続する一本物の木材を用いることが外観上の観点から望ましいが、何分にも長くなると値段も特別割高になるという問題があるので、複数本の木材を一直線に連結したものが一般的に用いられている。ところで、複数本の木材を連結する場合は、木材の端部に継手を形成する必要がある。しかしながら、継手の加工は熟練度を要する厄介な作業であり、経験豊富な職人が慢性的に不足している現状では、複雑な加工を要しない連結構造が業界として求められている。
【０００３】
本発明はこのような実情に鑑みて成されたものであり、その目的とするところは、複数本の木材を、その端面同士で突き合わせた状態で連結して体裁の良い長尺物を得ることができ、しかも、木材の端部に施す加工の簡便化を図ることのできる木材の接合金具とそれを利用する連結構造を提供することである。
【０００４】
【課題を解決するための手段】
請求項１記載の本発明の木材の接合金具は、主木材と従木材を、その端面同士を突き合わせた状態で連結する為に、両木材内に収容された状態で締結手段によって固定されるものであって、第一接合部材と、第二接合部材と、両接合部材内に収容される状態で両者を結合するボルトとを備え、第一接合部材は主木材の端面に備わる長穴の奥側に嵌まり込む円柱形状をなし、その先端面にボルトの軸部を捩じ込む雌ネジ部を備え、第二接合部材は、主木材と従木材の端面の何れか一方に備わる凹部に嵌まり込む支持板と、支持板から突出し且つ従木材の端面に備わる係合溝に嵌まり込む接続板とからなり、該支持板に、前記長穴の入り口側に嵌まり込み且つボルトの頭部を収容するカップ状の突起部を、接続板とは反対側に突設し、突起部の底部にボルトの軸部を通す挿通孔を備えていることを特徴とする。なお、「主木材と従木材の端面の何れか一方に備わる凹部」とは、主木材の端面に凹部を有する場合と、従木材の端面に凹部を有する場合とを含む概念である。
【０００５】
また、第一接合部材と第二接合部材を結合するボルトの捩込み具合が緩んだり、或いは不十分な場合、第一接合部材に対して第二接合部材がボルトを中心にして回転可能な状態になり、ひいては、主木材と従木材の端面同士を突き合わせた状態が保持できなくなることもありうるので、それを阻止する為に請求項２記載の発明のように、支持板に主木材に係止する補助片を突設しても良い。
【０００６】
請求項３記載の本発明の木材の連結構造は、主木材と従木材をその端面同士を突き合わせた状態で連結する為のものであって、主木材の端面に備える長穴の奥側に、請求項１記載の接合金具の第一接合部材を嵌め込んだ状態で締結手段によって固定し、第一接合部材にボルトで結合した第二接合部材の支持板に備わる突起部を長穴の入り口側に嵌め込むと共に、該支持板を、主木材の端面若しくは従木材の端面の何れか一方に備わる凹部に嵌め込み、第二接合部材の接続板を従木材の端面に備える係合溝に嵌め込んだ状態で締結手段によって固定してあることを特徴とする。
【０００７】
請求項４記載の木材の連結構造のように、主木材の端面に備える長穴の奥側に、請求項２記載の接合金具の第一接合部材を嵌め込んだ状態で締結手段によって固定し、第一接合部材にボルトで結合した第二接合部材の支持板に備わる突起部を長穴の入り口側に嵌め込むと共に、該支持板を、主木材の端面若しくは従木材の端面の何れか一方に備わる凹部に嵌め込み、さらに、支持板に備わる補助片を主木材に係止し、第二接合部材の接続板を従木材の端面に備える係合溝に嵌め込んだ状態で締結手段によって固定しても良い。
【０００８】
【発明の実施の形態】
本発明による木材の連結構造の第一実施形態は図１〜図３に示すように、縦長の角材からなる主木材１と従木材２と、端面同士を突き合わせた主木材１と従木材２の両内部に収納される接合金具３と、接合金具３を主木材１並びに従木材２に夫々連結する締結手段９１とを備え、これら構成部品によって通し柱等の縦長の長尺物を形成したものである。
【０００９】
接合金具３は、その基部に第一接合部材４を備えると共に、その先部に第二接合部材５を備え、第一接合部材４と第二接合部材５をボルトＢで結合して一体化したものである。
【００１０】
第一接合部材４は主木材１の内部に嵌まり込んだ状態で締結手段９１によって固定されるもので、パイプ形状をなし、その先端面にボルトＢを捩じ込む雌ネジ部４１を備え、その周面の中間部に、締結手段９１用の複数の通孔４２を貫通する状態で設けてある。なお、これら通孔４２は、長手方向（図面では上下）に間隔を開けて、しかも貫通方向が直交する状態で形成してある。
【００１１】
第二接合部材５は従木材２の内部に嵌まり込んだ状態で締結手段９１によって固定されるもので、断面コ字型をなす鉄板であり、主木材１の端面に当接する支持板５１と、該支持板５１の両側から突出する二枚の接続板５２とからなる。
【００１２】
支持板５１は短冊形状をなし、その中央部に、ボルトＢの頭部を収納するカップ状の突起部５３を接続板５２とは反対方向に突出して設け、突起部５３の底部にボルトＢの軸部を通す為の挿通孔５４を備えている。また、突起部５３は主木材１の内部に埋め込むことによって、主木材１の端面に当接する支持板５１の位置を大まかに決定する役割もある。
【００１３】
両接続板５２は方形状をなし、その先部の対向箇所にＵ字型の受孔５５を、該接続板５２の突出方向に直交する方向（図面では横方向）に開口する状態で夫々備えると共に、中間部の対向箇所に複数の貫通孔５６を備えている。
【００１４】
主木材１は、その接合する端面中央部に、第一接合部材４並びに第二接合部材５の突起部５３を嵌め込む円柱形状の長穴１１を備え、四面からなる周面の各面に、長穴１１を経て反対面に貫通する複数の抜孔１２を、前記通孔４２に対応する箇所に設けてある。
【００１５】
従木材２はその端面に、第二接合部材５の両接続板５２を嵌め込む平行な一対の係合溝２１を、短手方向に沿って形成すると共に、支持板５１を嵌め込む凹部２２を、両係合溝２１の先部に連通する状態で形成し、さらに、四面からなる周面のうち係合溝２１の入ってない二面に、両係合溝２１を経て反対面に貫通する複数の取付孔２３を、前記第二接合部材５の受孔５５の奥部と貫通孔５６に対応する箇所に形成してある。両係合溝２１は、従木材２の幅を三等分する位置に形成することが、木材の強度的に望ましいと思われる。なお、主木材１と従木材２には切削工具だけで加工してあり、具体的に言えば、長穴や各孔はドリルで加工し、係合溝や凹部は丸ノコで加工してある。
【００１６】
締結手段９１は、ボルトＢ、ナットＮ、係止ピンＰからなる。なお、係止ピンＰは主木材１並びに従木材２の内部に収まる長さにしてある。
【００１７】
上記第一実施形態の組立て手順の一例を、三段階に分けて以下に説明する。
【００１８】
まず第一段階では、第一接合部材４を主木材１の長穴１１の奥側に嵌め込み、主木材１の抜孔１２と第一接合部材４の通孔４２を一致した状態で、ボルトＢ、ナットＮで固定し、且つ係止ピンＰを打ち込んで、第一接合部材４を長穴１１から脱出不能に固定する。
【００１９】
次に第二段階では、第二接合部材５の突起部５２を長穴１１の入り口側に埋め込んで、第二接合部材５の支持板５１を主木材１の端面に当接させ、さらに、主木材１と従木材２をその端面同士を突き合わせた際に係合溝２１に接続板５２が嵌め込まれるように支持板５１の向きを調整し、突起部５３の挿通孔５４から第一接合部材４の雌ネジ部４１にボルトＢを捩じ込んで第二接合部材５を第一接合部材４に結合し、それによって第二接合部材５の支持板５１を主木材４の端面に押し付けた状態に固定する。ところで、第一接合部材４と第二接合部材５をボルトＢで結合した際に、第一接合部材４の先端面と、第二接合部材５の突起部５３との間には、わずかな隙間が形成されており、これによって支持板５１は主木材１の端面に隙間なく接するようなる。なお、第一接合部材４と第二接合部材５を結合するボルトＢは、第二接合部材５がボルトＢの軸部を支点として回転不能となる程度に強く締め付ける。
【００２０】
最後に、第三段階では、第二接合部材５の接続板５２を従木材２の係合溝２１に嵌め込むと共に、支持板５１を凹部２２に嵌め込み、従木材２の取付孔２３を接続板５２の受孔５５の奥部と貫通孔５６に一致させ、貫通孔５６には取付孔２３から係止ピンＰを打ち込み、受孔５５には取付孔２３からボルトＢの軸部を挿通してナットＮを締付けることによって、接続板５２に従木材２を固定し、その結果、主木材１と従木材２を端面同士を突き合わせた状態で連結する。なお、従木材２は、受孔５５の奥部に一致する取付孔２３に、ボルトＢの軸部を挿通し、ナットＮを捩じ込んだ状態に予めしておけば、接続板５２を係合溝２１に嵌め込む際に、受孔５５の開口部からボルトＢの軸部を差し込むようにして取付けることができるので、その取付作業を簡便に行える。
【００２１】
本発明の木材の連結構造の第二実施形態は図４及び図５に示すように、横長の角材からなる主木材１と従木材２を、両内部に接合金具３を収納する状態で締結手段９１によって連結して梁や桁、もや、土台等の横長の長尺物を形成したことを特徴とするものである。
【００２２】
本発明の木材の連結構造の第三実施形態は図６及び図７に示すように、第一接合部材４に対して第二接合部材５が、両者を結合するボルトＢを中心にして回転可能とならないように、第二接合部材５の支持板５１には、四辺のうち接続板５２を突設していない辺の両縁部に、一対の補助片５７を、突起部５３と同一方向に突設し、補助片５７を主木材１に係止したものである。
【００２３】
さらに詳しく言えば、図６（イ）及び図７（イ）に示す両補助片５７は、主木材１を恰も挟む状態で主木材１の周面に当接するもので、各片５７をネジ止めして主木材１に固定してある。また、図６（ロ）及び図７（ロ）に示す両補助片５７は、支持板５１にＶ字型の切込みを入れて、その部分を折り曲げたもので、各片５７を主木材１の端面から内部に差し込んである。
【００２４】
なお、本発明の木材の連結構造は上記実施形態に限定されるものではない。例えば接合金具３の第二接合部材５が接続板５２を３枚以上備える形状であっても良く、この場合、接続板５２の枚数に合わせて従木材２に係合溝２１を形成する必要がある。
【００２５】
【発明の効果】
請求項１記載の本発明の木材の接合金具を使用すれば、主木材と従木材を、その端面同士を突き合わせた状態で締結手段によって連結することができ、しかも、接合金具を構成する三部材のうち、ボルトはその軸部が第一接合部材の雌ネジ部に、頭部が突起部内に収納され、また、第一接合部材は主木材の長穴内に収納され、第二接合部材はその支持板が主木材と従木材の何れか一方に備える凹部内に収納されると共に接続板が従木材の係合溝内に収納されるので、両木材内に接合金具が収まってすっきりと纏まった外観となり、一本物の長尺物と遜色のない良好な体裁となる。さらに、長穴や係合溝、凹部は、切削工具で形成することができるので、主従両木材の端部に施す加工を容易に行える。
【００２６】
請求項２記載の本発明の木材の接合金具を使用すれば、第一接合部材と第二接合部材を結合するボルトの捩込み具合が緩んだり、或いは不十分な場合でも、支持板から突設する補助片によって第二接合部材が主木材に係止されることから、主木材と従木材の端面同士を突き合わせた状態が保持される。
【図面の簡単な説明】
【図１】本発明の木材の連結構造の第一実施形態を示す分解斜視図である。
【図２】主木材に固定した接合金具に、従木材を連結する状態を示す斜視図である。
【図３】本発明の木材の連結構造の第一実施形態の要部を示す一部切欠正面図である。
【図４】本発明による木材の連結構造の第二実施形態の一例を示す斜視図である。
【図５】本発明による木材の連結構造の第二実施形態の一例を示す斜視図である。
【図６】（イ）、（ロ）
本発明の木材の連結構造の第三実施形態に用いる接合金具の一例を示す斜視図である。
【図７】（イ）、（ロ）
本発明の木材の連結構造の第三実施形態の一例を示す斜視図である。
【符号の説明】
１  主木材
２  従木材
３  接合金具
４  第一接合部材
５  第二接合部材
１１  長穴
２１  係合溝
２２  凹部
４１  雌ネジ部
５１  支持板
５２  接続板
５３  突起部
５７  補助片
９１  締結手段
【図１】
0003818758.tif 000002
【図２】
0003818758.tif 000003
【図３】
0003818758.tif 000004
【図４】
0003818758.tif 000005
【図５】
0003818758.tif 000006
【図６】
0003818758.tif 000007
【図７】
0003818758.tif 000008